(57)【特許請求の範囲】
【請求項１】
音声データを任意の分割位置で分割可能なオーディオ装置であって、
前記音声データを再生する再生手段と、
前記再生手段により再生される音声データの分割位置を指定し、かつ、当該指定した分割位置で前記音声データの分割を決定するための入力手段と、
前記入力手段により前記分割位置が指定された場合、当該指定された分割位置から前後一定範囲の音声データを、前記分割位置から前の一定範囲と後の一定範囲とで互いに異なる音量によって再生させ、当該再生中に前記入力手段により分割位置が決定された場合、当該決定された分割位置で前記音声データを分割する制御手段と、
を備えるオーディオ装置。
【請求項２】
前記制御手段は、前記指定された分割位置の前後の音声データを再生させる際、前記分割位置より後の一定範囲の音声データの音量を前記分割位置より前の一定範囲の音声データの音量よりも上げて再生させる請求項１に記載のオーディオ装置。
【請求項３】
前記制御手段は、前記指定された分割位置の前後の音声データを再生させる際、前記分割位置より前の一定範囲の音声データの音量を前記分割位置より後の一定範囲の音声データの音量よりも上げて再生させる請求項１に記載のオーディオ装置。
【請求項４】
前記制御手段は、前記指定された分割位置の前後の音声データを再生させる際、前記分割位置の前後の音声データが無音である場合は、前記分割位置から前の一定範囲の音声データまたは後の一定範囲の音声データのうち何れか一方の音声データに予め定められた音声データを付加して再生させる請求項１〜３の何れか一項に記載のオーディオ装置。
【請求項５】
前記制御手段は、前記指定された分割位置の前後一定範囲の音声データを再生させる際、リピートして再生させる請求項１〜４の何れか一項に記載のオーディオ装置。
【請求項６】
前記入力手段により指定された前記音声データの分割位置を調整する調整手段をさらに備え、
前記入力手段は、前記調整手段によって調整された前記音声データの分割位置で前記音声データの分割を決定する請求項１〜５のいずれか一項に記載のオーディオ装置。
【請求項７】
音声データを任意の分割位置で分割可能な音声データ分割方法であって、
前記音声データの分割位置を指定する工程と、
前記指定された分割位置から前後一定範囲の音声データを、前記分割位置から前の一定範囲と後の一定範囲とで互いに異なる音量によって再生させる工程と、
前記工程における再生中に音声データの分割位置が決定された場合、前記決定された分割位置で前記音声データを分割する工程と、
を含む音声データ分割方法。
【請求項８】
コンピュータに、
請求項７に記載の音声データ分割方法を実行させるためのプログラム。
【発明の詳細な説明】
【技術分野】
【０００１】
本発明は、オーディオ装置、音声データ分割方法及びプログラムに関する。
【背景技術】
【０００２】
一般に広く用いられているオーディオ装置には、再生対象の音声データを所定の位置で分割する分割機能を備えているものがある。分割機能によれば、大容量の音声データを分割して複数の音声データとすることができ、再生の際の頭出し等に便利である。
【０００３】
通常、分割機能による分割操作はユーザによって行われ、一般的な分割操作は次の手順で行われる。まず、ユーザは分割したい所望の位置（以下、「分割位置」という）まで音声データを再生させ、分割位置まで再生させた時点で入力キー等を押下して分割位置を指定する。ユーザが分割位置を指定すると、オーディオ装置は指定された分割位置より後の音声データを数秒間分だけリピート再生する。このとき、ユーザは自己の指定した分割位置が適切か否かを確認する。適切であれば、ユーザは再度入力キー等を押下して、指定した分割位置を決定する操作を行う。
【０００４】
特許文献１によれば、ユーザが指定した分割位置に無音期間を挿入し、分割位置の前後で確認のためのリピート再生を行う情報再生記憶装置が開示されている。無音期間が挿入された状態で分割位置の前後がリピート再生されるため、ユーザは分割位置及び分割位置の前後関係を容易に確認することができる。
【特許文献１】特開平９−１９８８５１号公報
【発明の開示】
【発明が解決しようとする課題】
【０００５】
しかし、特許文献１の情報再生記憶装置によれば、元々の音声データに無音期間が含まれている場合、挿入された無音期間なのか、元々の音声データに含まれている無音期間なのか、ユーザは判断し難い。よって、分割位置の確認のためのリピート再生中、ユーザは注意して音声データを聴いていなければならない。
【０００６】
本発明の目的は、分割位置及び分割位置の前後関係を容易に確認し得るオーディオ装置、音声データ分割方法及びプログラムを提供することである。   
【課題を解決するための手段】
【０００７】
請求項１に記載の発明によれば、
音声データを任意の分割位置で分割可能なオーディオ装置であって、
前記音声データを再生する再生手段と、
前記再生手段により再生される音声データの分割位置を指定し、かつ、当該指定した分割位置で前記音声データの分割を決定するための入力手段と、
前記入力手段により前記分割位置が指定された場合、当該指定された分割位置から前後一定範囲の音声データを、前記分割位置から前の一定範囲と後の一定範囲とで互いに異なる音量によって再生させ、当該再生中に前記入力手段により分割位置が決定された場合、当該決定された分割位置で前記音声データを分割する制御手段と、
を備えるオーディオ装置が提供される。
【０００８】
請求項２に記載の発明によれば、請求項１に記載の発明において、
前記制御手段は、前記指定された分割位置の前後の音声データを再生させる際、前記分割位置より後の一定範囲の音声データの音量を前記分割位置より前の一定範囲の音声データの音量よりも上げて再生させるオーディオ装置が提供される。
【０００９】
請求項３に記載の発明によれば、請求項１に記載の発明において、
前記制御手段は、前記指定された分割位置の前後の音声データを再生させる際、前記分割位置より前の一定範囲の音声データの音量を前記分割位置より後の一定範囲の音声データの音量よりも上げて再生させるオーディオ装置が提供される。
【００１０】
請求項４に記載の発明によれば、請求項１〜３の何れか一項に記載の発明において、
前記制御手段は、前記指定された分割位置の前後の音声データを再生させる際、前記分割位置の前後の音声データが無音である場合は、前記分割位置から前の一定範囲の音声データまたは後の一定範囲の音声データのうち何れか一方の音声データに予め定められた音声データを付加して再生させるオーディオ装置が提供される。
【００１１】
請求項５に記載の発明によれば、請求項１〜４の何れか一項に記載の発明において、
前記制御手段は、前記指定された分割位置の前後一定範囲の音声データを再生させる際、リピートして再生させるオーディオ装置が提供される。
請求項６に記載の発明によれば、請求項１〜５の何れか一項に記載の発明において、
前記入力手段により指定された前記音声データの分割位置を調整する調整手段をさらに備え、
前記入力手段は、前記調整手段によって調整された前記音声データの分割位置で前記音声データの分割を決定するオーディオ装置が提供される。
【００１２】
請求項７に記載の発明によれば、
音声データを任意の分割位置で分割可能な音声データ分割方法であって、
前記音声データの分割位置を指定する工程と、
前記指定された分割位置から前後一定範囲の音声データを、前記分割位置から前の一定範囲と後の一定範囲とで互いに異なる音量によって再生させる工程と、
前記工程における再生中に音声データの分割位置が決定された場合、前記決定された分割位置で前記音声データを分割する工程と、
を含む音声データ分割方法が提供される。
【００１３】
請求項８に記載の発明によれば、
コンピュータに、
請求項７に記載の音声データ分割方法を実行させるためのプログラムが提供される。
【発明の効果】
【００１４】
本発明によれば、分割位置の前後の音声データが互いに異なる音量によってリピート再生される。よって、ユーザは、分割位置が適切であるか否かを容易に確認することができるとともに、分割位置の前後関係を容易に把握することができる。 
【発明を実施するための最良の形態】
【００１５】
以下、本実施形態におけるオーディオ装置の最適な構成及び動作について、図面を用いて詳細に説明する。
まず、図１を参照して、オーディオ装置１００の機能構成について説明する。
オーディオ装置１００は、操作部１０、表示部２０、制御部３０、記憶部４０、ＤＳＰ（Digital Signal Processor）５０、ＤＡＣ（Digital to Analog Converter）６０、増幅部７０、出力部８０を備えて構成される。
【００１６】
操作部１０は、各種指示を制御部３０に出力する。各種指示には、例えば分割機能をＯＮに切り替える指示や音声データの分割位置を指定する指示等がある。
表示部２０は、制御部３０から出力される表示信号に基づいて、オーディオ装置１００の状態表示や動作表示等を行う。
【００１７】
制御部３０は、システムマイコン等であり、オーディオ装置１００における各種処理を集中制御する。また、制御部３０は、ＤＳＰ５０に制御信号を出力し、ＤＳＰ５０における信号処理の実行を指示する。
記憶部４０は、システムプログラムや各種プログラムを記憶する。また、記憶部４０は再生バッファを備え、音声データの再生時には、記憶している音声データを再生バッファに転送する処理を行う。
ＤＳＰ５０は、制御部３０から出力される制御信号に基づいて、予め定められた信号処理を行う。信号処理には、例えば音声データのエンコード及びデコード等がある。
ＤＡＣ６０は、デジタルの音声信号をアナログの音声信号に変換し、変換したアナログの音声信号を増幅部７０に出力する。
【００１８】
増幅部７０は、ＤＡＣ６０から出力されたアナログの音声信号を受信し、受信した音声信号を増幅して出力部８０に出力する。
出力部８０は、増幅部７０から出力されたアナログの音声信号をヘッドホンやスピーカ等に出力する。
【００１９】
次に、図２を参照して、オーディオ装置１００による分割処理の一連の動作について説明する。なお、図２に示す処理が開始される前提として、操作部１０を介して分割機能がＯＮにされ、出力部８０を介して音声データが音声として再生されているものとする。
【００２０】
制御部３０は、操作部１０を介して分割位置の指定指示があるまで待機する（ステップＳ１：Ｎ）。待機中、制御部３０は、音声データを継続して再生させる。
分割位置の指定指示があると（ステップＳ１；Ｙ）、制御部３０は、指定された分割位置の前後をリピートして再生させる（ステップＳ２）。
【００２１】
図３に、リピート再生処理について説明する。
制御部３０は、指定された分割位置より前の音声データを数秒間分だけ再生バッファへ転送する（ステップＳ２１）。
制御部３０は、再生させる音声データの音量について基準値を設定し、分割位置検出タイマーを起動させる（ステップＳ２２）。なお、分割位置検出タイマーは、制御部３０に格納されているものとする。
そして、制御部３０は、再生バッファの先頭アドレスから音声データを再生させる（ステップＳ２３）。
【００２２】
制御部３０は、分割位置検出タイマーから時間情報を受信する（ステップＳ２４）。
分割位置検出タイマーがタイムアップすると（ステップＳ２４；Ｙ）、制御部３０は、音量をステップＳ２２で設定した基準値から予め定められた範囲で一定量だけ増加させる。そして、増幅させた状態で、音声データを継続して再生させる（ステップＳ２５）。
【００２３】
制御部３０は、リピート再生を継続させるか否か判断する（ステップＳ２６）。
継続させる場合（ステップＳ２６；Ｙ）、制御部３０は、予め定められたリピート再生時間が経過しているか否か判断する（ステップＳ２７）。
【００２４】
リピート再生時間が経過していない場合（ステップＳ２７；Ｎ）、制御部３０は、ステップＳ２４に移行する。
リピート再生時間が経過している場合（ステップＳ２７；Ｙ）、制御部３０は、ステップＳ２２に移行する。
ステップＳ２６に戻り、リピート再生を継続させない場合（ステップＳ２６；Ｎ）、制御部３０は、リピート再生処理を終了する。
【００２５】
図２に戻り、制御部３０は、リピート再生処理を実行した後、分割位置の調整指示があるか否か判断する（ステップＳ３）。
調整指示がある場合（ステップＳ３；Ｙ）、制御部３０は、調整指示に基づいて分割位置を変更する（ステップＳ４）。そして、制御部３０は、ステップＳ２に移行して再度リピート再生処理を行う。
調整指示がない場合（ステップＳ３；Ｎ）、制御部３０は、分割位置の決定指示があるまで待機する（ステップＳ５；Ｎ）。
【００２６】
分割位置の決定指示があると（ステップＳ５；Ｙ）、制御部３０は、音声データを指定された分割位置で分割する処理を実行し（ステップＳ６）、分割処理を終了する。
【００２７】
図４に、上述してきた分割処理（図２）及びリピート再生処理（図３）の概念図を示す。以下、図４を参照して、分割処理及びリピート再生処理を大きく３つの処理に分けて説明する。
音声データＤ１の再生継続中に、ユーザによって分割位置が指定されると（処理１）、指定された分割位置の前後一定の範囲で音声データＤ１がリピート再生される（処理２）。このとき、分割位置の前後で再生音量は異なり、分割位置の後の方が再生音量は大きい。処理２において、ユーザは分割位置を確認し、分割位置の前後を把握する。
指定された分割位置で分割処理が実行されると、音声データＤ１は音声データＤ１ａと音声データＤ１ｂとに分割される（処理３）。
【００２８】
以上のように、本実施形態によれば、リピート再生の際、音声データの再生音量が分割位置の前後で異なって再生される。よって、ユーザは、分割位置を容易に確認することができ、分割位置の前後関係を容易に把握することができる。
【００２９】
また、分割位置の前後で変える再生音量は、分割位置の後の再生音量を分割位置の前の再生音量よりも大きくすることとしてもよい。ユーザは、音声データを再生して再生音量が大きくなった位置が分割位置であると容易に把握することができる。
【００３０】
さらには、分割位置の前の再生音量を分割位置の後の再生音量より大きくすることとしても、同様の効果が得られる。
【００３１】
なお、本実施形態におけるリピート再生処理（図３）は、図３で説明した処理に限られず、例えば分割位置の後の音声データに所定の音声を付加し、付加した状態でリピート再生させるとしてもよい。なお、このような処理は、分割位置の前後で音声が無音又は所定の音量以下（以下、「無音状態」という）である場合に有効である。
以下、他の実施例として、所定の音声を付加した場合のリピート再生処理について説明する。
【００３２】
図５に、音声付加を伴うリピート再生処理について説明する。
ステップＳ３１〜Ｓ３４までは、図３のステップＳ２１〜Ｓ２４と同様の処理を行うため、ここでの説明は省略する。
【００３３】
分割位置検出タイマーがタイムアップすると（ステップＳ３４；Ｙ）、制御部３０は、分割位置の前後の音声は所定値以上であるか否か判断する（ステップＳ３５）。
所定値以上でない場合（ステップＳ３５；Ｎ）、つまり無音状態である場合、制御部３０は、予め定められた音声を分割位置の後の音声データに付加して継続して再生させる（ステップＳ３６）。
所定値以上である場合（ステップＳ３５；Ｙ）、制御部３０は、音量をステップＳ３２で設定した基準値から予め定められた範囲で増幅させる。そして、増幅させた状態で、音声データを継続して再生させる（ステップＳ３７）。
【００３４】
以下、ステップＳ３８、Ｓ３９における処理は、図３のステップＳ２６、Ｓ２７と同様であるため、ここでの説明は省略する。
制御部３０は、リピート再生を継続させない場合（ステップＳ３８；Ｎ）、音声付加を伴うリピート再生処理を終了する。
【００３５】
以上のように、他の実施形態によれば、分割位置の前後が無音状態の場合、分割位置の後の音声データに予め定められた音声データが付加されて再生される。よって、ユーザは、分割位置を容易に確認することができ、かつ、分割位置の前後関係を容易に把握することができる。
【００３６】
なお、分割位置の前後で異ならせる要素は音声のみに限らず、例えば音声とともに表示部２０等に視認可能な表示を行うとしてもよい。具体的には、リピート再生処理（図３、図５）において分割位置の後の音声データを再生させる際、音量を増加させると共にＬＥＤ等の点滅を開始したり、分割位置の前後で点滅速度を変えたりしてもよい。
【図面の簡単な説明】
【００３７】
【図１】オーディオ装置の機能構成を示す図である。
【図２】分割処理を示すフロー図である。
【図３】リピート再生処理を示すフロー図である。
【図４】分割処理及びリピート再生処理を説明する概念図である。
【図５】音声付加を伴うリピート再生処理を示すフロー図である。
【符号の説明】
【００３８】
１００  オーディオ装置
１０    操作部
２０    表示部
３０    制御部
４０    記憶部
５０    ＤＳＰ
６０    ＤＡＣ
７０    増幅部
８０    出力部
【図１】
0005151683.tif 000002
【図２】
0005151683.tif 000003
【図３】
0005151683.tif 000004
【図４】
0005151683.tif 000005
【図５】
0005151683.tif 000006